(57)【要約】      （修正有） 【課題】観賞用植物の水耕栽培において、排出された老廃物で水質の悪化・嫌気性菌の繁殖で植物の生育に打撃を与え枯死等を招くことを解消する。【解決手段】水耕槽の水を水中ポンプでくみ上げて、透明な内筒ミネラル槽を通り、透明な外筒槽１を通り、再度同じ落差のある槽を通り、内水槽５に流れ落とす。自水管９で植物に水溶液を補給し、余分な水は寄せ植え外水耕槽への流れ落ち、水中ポンプにより循環をたえず繰り返し、水の浄化・ミネラル・微量要素・溶存酸素等の補給と嫌気性菌の排除する。【選択図】図３
2005270083.tif 000002
【特許請求の範囲】
観賞用植物の水耕システムで水槽内の寄せ植えの水質の浄化と酸素ミネラルが補給できる簡単な方法として、透明で太目の外筒・槽内に細目で透明の内筒ミネラル槽を設け、水耕水槽内の老化した水を水中ポンプで内筒ミネラル槽に流し込みミネラル石内を老化した水が通過しながらイオン交換等で水質が浄化されてミネラル微量要素が補給される。内筒ミネラルの底部から外筒槽へと水が流れ込み内筒・外筒を水平に水が上昇し、外筒水槽上部の複数の排出口より落差のある複数の内筒ミネラル槽に落とし込み、外筒へと流し込み上部排出口より内水槽へと落とし込み、濁流効果を生みそれによって外気より多くの酸素を取り込み、水耕槽に溶存酸素率を高めて浄化活性化された水で植物を良好に水耕成育することができる。なお透明の外筒・内筒内を水が通る時に光りによって嫌光性菌の除去や水の流落で嫌気性菌ピシチューム菌の繁殖を防げる。また透明の筒内の水の流動や滝落・噴水・池等が装飾として造形でき観賞価値を高める。簡単な装置で大型プランター水耕栽培等が手軽にできる  酸素ミネラル補給水浄化装置。
【発明の詳細な説明】
【発明の詳細な説明】
【産業上の利用分野】
【０００１】  本発明は簡単な装置で観賞用水耕槽の水の浄化・ミネラル補給・溶存酸素の増量をなし、水耕植物を順調に育成することができる。設備も容易にでき、滝や池・噴水その他の造形の装置の外装を変えて観賞価値を上げて楽しむことができる酸素ミネラル補給水浄化装置に関するものである。
【従来の技術及びその課題】
【０００２】  家庭用の水耕栽培装置はベランダ・屋外で使用する目的で野菜のトマト・キュウリの栽培が主でした。完全な装置でマニアル通りに行えば良いものが栽培できましたが、トマトは毎日のように芽かき・誘引・着花ホルモンと手間がかかり、また培養液のコントロールＰＨのアップダウンと大変な手間を要した関係で消費が伸びず現在はほとんど皆無の状態です。ヨーロッパから普及したハイドロカルチャーは室内を中心に観葉植物をハイドロボールで礫耕栽培し、大小のプランターに寄せ植え等にしてインテリアグリーンとして世界各国に普及していますが丈夫な植物だけを選定しているので、バラエティに欠け普及の伸びは止まっています。原因は水質の浄化対策が悪く、イオン交換体を入れるだけで効果は多少あるが皆無に近い。植物の根から出す多くの酸を解消しなければ、多種類の品種を栽培することができない現状です。本発明はこれらの問題点を解消することのできる  酸素ミネラル補給水浄化装置を提供する目的としている。
【本発明が解決しようとする課題】
【０００３】  室内環境緑化が今後ますます普及する中、従来の土植え植物を室内に置く事が国際的に禁止の状況にあります。太陽光線のない室内では鉢内の土から多種多様の悪性菌が発生し、人体に悪影響を及ぼすことが医学的に判明し、先進国では土植えの植物の持ち込みは排除されつつあります。日本でも病院は排除しています。美しい花や緑が室内から排除されないように土を使用しない方法と室内の花や緑を水耕システムで室内ガーデンに利用すれば悪性菌や不快虫の心配もなく、安心して花や緑が楽しめます。植物を室内に置くことは観賞する目的が主でしたが今日では空気浄化・室内で発生するさまざまな悪性ガスを植物が同化吸収して室内を浄化して生活環境を良好にすることが重要とされます。本発明は室内に大型水槽を設置して観葉植物・花物・洋ラン・多肉植物・その他を六面体培地で水耕栽培されたものを大型水槽内に寄せ植えし、その水槽内の水を循環させミネラル・酸素を補給して溶存酸素を高め、またミネラル・イオン石で常に微量要素を補給して水の浄化をはかり、植物の生育を良好にする方法である。本発明はこれらの課題の解決である。
【問題点を解決するための手段】
【０００４】  上記の目的を達成するためには、図１に示すように１は外筒槽で水が上部までたまり４の排出口を設けている。２は内筒ミネラル槽でミネラルイオン石が入り筒の下部に穴があり、水が抜けて１に入るようになっている。図２のように２−１ミネラルイオン石を２に詰めて設置する。５の内水槽は４から流落する水が一度にたまり浄化され、オーバー水として８の外水耕槽に入る。８の水耕槽で多種類の植物をグループプランツとして育成しますが、植物が排出する老廃物・蟻酸・酢酸・修酸を初めその他多くの酸が水耕槽内で植物に悪影響を及ぼすので８内の水を７のポンプで吸い上げて、２に送り込み２−１を通って１に入り２と１内が水平に上登しながらミネラルイオン石でイオン交換されて、４の排出口から次の２に流落し、１に入り４から５の内水槽に流落して川の濁流効果を生み、外気より酸素を取り込み溶存酸素率を高めると共に酸化還元作用で水質を良好にする。また１と２が透明筒で嫌光性菌の発生が制御できる。２−１のミネラルイオン石は時々取り出し太陽光線に当たるだけで永久に効力を発揮します。
【作用】
【０００５】  室内水耕栽培の植物育成を良好にする方法として水の浄化を簡単な方法で行うために小型水中ポンプで水耕槽の水を循環させると共にミネラルの補給とイオン交換による浄化水に光を通し、嫌光性菌の除外や水の落水による濁流効果で水に溶存酸素補給で活性化をはかり、室内植物水耕育成が良好に行える。またシステムの外観の形を岩や噴水・池・その他バラエティーにして雰囲気が楽しめる。室内環境緑化等が今後ますます進むなかマンション・オフィス・レストラン・ホテル・デパート・スーパー・その他屋内に美しい室内ガーデンが手軽に楽しむ事ができ、永続的に植物が良好に育つ水耕システムに効果をもたらす作用がある。
【実施例】
【０００６】  以下  図面を参照して本発明の酸素ミネラル補給水浄化装置を使用した実施例で説明すると、図２の１は外筒槽で２の内筒ミネラル槽が中心に入り、７の水中ポンプで８の外水耕槽の水をくみあげて３の送水管を通って２−１の内筒ミネラル槽へ流れ込み、１と２が水平に水が上登して４の排出口から次の２に流落して図３のように５の内水槽に流落して１１の水が９の自水管を通って１０の各植物へ水を送り、余った５の水は８へとオーバーホールして循環を繰り返して水の総合的浄化をはかり、水耕栽培を良好に保持する。図４は８に１０を植え水耕栽培の斜視図で、１３の石組で池を作り本発明をオブジェを兼ねて景観を良くしている。図４をユニット化して植物の品種や形を変えて組み合わせれば大型屋内庭園が手軽に完成されていき、室内水耕育成方法で多種多様のガーデニングが完成されます。なお本発明の素材はプラスチック・ガラス・木・金属・ウレタン・布・セラミック・不織布・竹・スチロール・紙等である。
【作用】
【０００７】  室内で水耕栽培システムで観葉植物を大型プランターで寄せ植えして楽しみますが、ヨーロッパから輸入されたハイドロカルチャーシステムではごくわずかな品種でしかなかった寄せ植えグループプランツはできなかった。原因は水の腐敗や嫌気性菌の発達です。プランターの水が流動する事がないため根ぐされをおこし、枯死も多くでました。一般にドラセナ類・サトイモ科の２０〜３０種前後がどうやら使用されています。本発明を使用すれば水の浄化とミネラル補給・溶存酸素を高め、酸化還元作用・イオン交換による活性化で水耕栽培を正常化して品種も光量ルックスを高めるだけで多品種の植物を手軽に育てることができる。なお六面体培地を使用した植物を利用すればより良い植物の水耕育成を完全にすることができる。このような本発明を利用する事により室内水耕植物育成を良好にする作用がある。
【図面の簡単な説明】
【図１】本発明の一分組合せ斜視図
【図２】本発明にミネラルイオン設置斜視図
【図３】本発明で水循環と植物自水斜視図
【図４】本発明で水耕植物育成の斜視図
【符号の説明】
１．  外筒槽
２．  外筒ミネラル槽
２−１．ミネラル石
３．  送水管
４．  排出管
５．  内水槽
６．  電気配線
７．  水中ポンプ
８．  外水耕槽
９．  自水管
１０．  植物
１１．  水
１２．  六面体鉢
１３．  影石池
【図１】
2005270083.tif 000003
【図２】
2005270083.tif 000004
【図３】
2005270083.tif 000005
【図４】
2005270083.tif 000006